【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
空気調和機の室内機本体の上部から吸い込まれ、熱交換器により熱交換された空気を吹出口まで風路で案内し、送風を左右に可変とする左右風向板と送風を上下に可変する上下風向板にて送風を偏向させて前記吹出口から前記室内機本体の外部に送り出すようにした空気調和機の室内機において、
熱交換された空気を前記吹出口に至る手前まで案内する風路部品本体と、該風路部品本体に取り付け自在で、前記風路部品本体に案内された空気を前記吹出口まで案内する風路先端部品とで前記風路を形成したことを特徴とする空気調和機の室内機。
【請求項２】
前記左右風向板と前記上下風向板と前記風路先端部品が一体に構成されてなる風向偏向装置を前記吹出口に取り付けたことを特徴とする請求項１記載の空気調和機の室内機。
【請求項３】
前記風路部品本体に固定ツメ用穴を設け、前記風路先端部品の先端に固定ツメを有する偏向装置固定部材を設け、前記偏向装置固定部材の固定ツメを前記風路部品本体の固定ツメ用穴に係止させ、前記風向偏向装置を前記吹出口に固定するようにしたことを特徴とする請求項２に記載の空気調和機の室内機。
【請求項４】
前記風路先端部品に取付ツメ成形用穴閉塞部材を設け、前記風路部品本体に設けられている取付ツメ成形用穴を前記取付ツメ成形用穴閉塞部材で塞ぐようにしたことを特徴とする請求項１から請求項３のいずれかに記載の空気調和機の室内機。
【手続補正２】
【補正対象書類名】明細書
【補正対象項目名】０００６
【補正方法】変更
【補正の内容】
【０００６】
本発明に係る空気調和機の室内機は、空気調和機の室内機本体の上部から吸い込まれ、熱交換器により熱交換された空気を吹出口まで風路で案内し、送風を左右に可変とする左右風向板と送風を上下に可変する上下風向板にて送風を偏向させて前記吹出口から前記室内機本体の外部に送り出すようにした空気調和機の室内機において、
熱交換された空気を前記吹出口に至る手前まで案内する風路部品本体と、該風路部品本体に取り付け自在で、前記風路部品本体に案内された空気を前記吹出口まで案内する風路先端部品とで前記風路を形成したものである。
【手続補正３】
【補正対象書類名】明細書
【補正対象項目名】０００７
【補正方法】変更
【補正の内容】
【０００７】
以上説明したように本発明によれば、室内機本体内の熱交換器により熱交換された空気を吹出口まで案内する風路は、熱交換された空気を吹出口に至る手前まで案内する風路部品本体と、風路部品本体に取り付け自在で、風路部品本体に案内された空気を吹出口まで案内する風路先端部品とで形成されているので、可動ディフューザがなくなって可動ディフューザを可動させるための別部材が不要となり、取付け構造が簡素化され、材料費、加工費を抑えることができるという効果がある。
【手続補正４】
【補正対象書類名】明細書
【補正対象項目名】０００８
【補正方法】変更
【補正の内容】
【０００８】
また、風路部品本体の先端が後側に短くなるため、左右風向板を大きくすることができ、左右風向板の送風量を大きくすることができるという効果もある。
【手続補正５】
【補正対象書類名】明細書
【補正対象項目名】００１２
【補正方法】変更
【補正の内容】
【００１２】
さらに、風路先端部品９には、図４に示すように、その長手方向における中央と両側の三箇所にそれぞれ、パネル係止部材９ｂと位置決め部材９ｃとの間に先端に固定ツメ１４ａを有する偏向装置固定部材１４が設けられている。
そして、風路部品本体８の垂直壁８ａにおける偏向装置固定部材１４に対応する位置に、図６に示すように、偏向装置固定部材１４の固定ツメ１４ａが挿入係止される固定ツメ用穴８ｂが設けられている。
また、風路部品本体８の垂直壁８ａには、図７に示すように、その長手方向における両側の二箇所にそれぞれ、据付板取付ツメ成形用穴８ｃが設けられている。
そして、風路先端部品９のパネル係止部材９ｂの先端の据付板取付ツメ成形用穴８ｃに対応する位置に、その据付板取付ツメ成形用穴８ｃを塞ぐための取付ツメ成形用穴閉塞部材１５が突設されている。
【手続補正６】
【補正対象書類名】明細書
【補正対象項目名】００１５
【補正方法】変更
【補正の内容】
【００１５】
このように、風路部品本体８の先端側は、吹出口７に至る手前で下方に折り曲げられ、段部を有する垂直壁８ａが設けられて形成され、その垂直壁８ａの位置に風路先端部品９が取り付けられて風路先端が構成されるようにしているので、風路部品本体８の先端が結果的に後側に短くなるため、左右風向板１０を有する風向偏向装置１２を風路先端部品９と共に風路部品本体８に取付ける際に、左右風向板１０が風路部品本体８の風路先端に干渉することが防止され、その干渉が防止される分だけ風向偏向装置１２の取付け軌跡に余裕ができるために左右風向板１０を大きくすることができ、左右風向板１０の送風量を大きくすることができる。
というのは、従来のように風路先端部品９が風路部品本体８と一体となって狭い吹出口の風路先端では左右風向板１０が風路先端に干渉して組み立てることができず、左右風向板を大きくすることができなかったからである。
【手続補正７】
【補正対象書類名】明細書
【補正対象項目名】００１６
【補正方法】変更
【補正の内容】
【００１６】
また、風向偏向装置１２を風路先端部品９と共に風路部品本体８に取付ける際に、風路先端部品９には先端に固定ツメ１４ａを有する偏向装置固定部材１４が設けられており、風路部品本体８の垂直壁８ａに偏向装置固定部材１４の固定ツメ１４ａが挿入係止される固定ツメ用穴８ｂが設けられているので、風路先端部品９の偏向装置固定部材１４の固定ツメ１４ａを風路部品本体８の垂直壁８ａの固定ツメ用穴８ｂに挿入係止させることにより、風向偏向装置１２と風路先端部品９とを風路部品本体８に確実に固定させることができる。
【手続補正８】
【補正対象書類名】明細書
【補正対象項目名】００１７
【補正方法】変更
【補正の内容】
【００１７】
さらに、風向偏向装置１２を風路先端部品９と共に風路部品本体８に取付ける際に、風路部品本体８の垂直壁８ａには据付板取付ツメ成形用穴８ｃが設けられているが、風路先端部品９のパネル係止部材９ｂの先端にその据付板取付ツメ成形用穴８ｃを塞ぐための取付ツメ成形用穴閉塞部材１５が突設されているので、風路部品本体８の垂直壁８ａの据付板取付ツメ成形用穴８ｃに風路先端部品９のパネル係止部材９ｂの先端に突設された取付ツメ成形用穴閉塞部材１５を挿入し、風路部品本体８の据付取付ツメ成形用穴８ｃを塞ぐことにより、風路部品本体８の裏側への空気の流れを止めることができ、風路部品本体８の裏面への着露を防止することができる。
なお、風路先端部品９に取付ツメ成形用穴閉塞部材１５が設けられていなければ、さらに別部品にて風路部品本体８の据付板取付ツメ成形用穴８ｃを塞がなくてはならない。
【手続補正９】
【補正対象書類名】明細書
【補正対象項目名】００２１
【補正方法】変更
【補正の内容】
【００２１】
１  室内機本体、２  パネル、３  据付板、４  熱交換器、５  送風機、６  風路、７  吹出口、８  風路部品本体、８ａ  垂直壁、８ｂ  固定ツメ用穴、８ｃ  据付板取付ツメ成形用穴、９  風路先端部品、９ａ  先端風路形成部材、９ｂ  パネル係止部材、９ｃ  位置決め部材、１０  左右風向板、１１  上下風向板、１２  風向偏光板、１４  偏向装置固定部材、１４ａ  固定ツメ、１５  取付ツメ成形用穴閉塞部材。